(57)【要約】【課題】良好な防水性を確保することができる美容器を提供する。【解決手段】美容器１は、ハンドル１０、一対の支持軸２０、一対の回転体３０、内蓋４０、止水部４１及び外蓋５０を備えている。ハンドル１０には凹状の収納部１１が形成されている。一対の支持軸２０は、ハンドル１０の一方の端部１２から先広がり状に延びている。一対の回転体３０は、支持軸２０の周りに回転自在に支持されている。内蓋４０は、ハンドル１０に取り付けられて収納部１１を封止する。止水部４１は、収納部１１と内蓋４０の間に介在し、収納部１１の開口周縁に液密に当接する。外蓋５０は、外周面５１が収納部１１の開口内周面１１Ｅに対向し且つ外周面５１と開口内周面１１Ｅとが対向する部位が外側から視認可能な形態で収納部１１内に嵌め込まれながら、内蓋４０を覆って収納部１１の開口を閉塞している。【選択図】図７
2018082778.tif 000002
【特許請求の範囲】
【請求項１】
凹状の収納部が形成されたハンドルと、
前記ハンドルに取り付けられて前記収納部を封止する内蓋と、
前記ハンドルの一方の端部側から延びる一対の支持軸と、
前記支持軸の周りに回転自在に支持された一対の回転体と、
前記収納部と前記内蓋の間に介在し、前記収納部の開口周縁に液密に当接する止水部と、
外周面が前記収納部の開口内周面に対向し且つ前記外周面と前記内周面とが対向する部位が外側から視認可能な形態で前記収納部内に嵌め込まれながら、前記内蓋を覆って前記収納部の開口を閉塞する外蓋と、
を備えることを特徴とする美容器。
【請求項２】
前記止水部は、前記内蓋の外縁に備えられることを特徴とする請求項１記載の美容器。
【請求項３】
前記内蓋に組み付けられて前記収納部に収納される被収納部材を備えることを特徴とする請求項１又は２記載の美容器。
【請求項４】
前記被収納部材は、電流を発生する電源であり、
前記ハンドル及び前記回転体は導電性を有し、前記電源に電気的に接続されていることを特徴とする請求項３記載の美容器。
【請求項５】
前記ハンドルの他方の端部に設けられ、皮膚に接触又は接近させて美容効果を付与する美容効果付与部を備えており、
前記美容効果付与部は、前記ハンドルの他方の端部から前記収納部に向かって挿通されて前記内蓋の前記ハンドルへの取り付けによって固定される固定軸を有することを特徴とする請求項１乃至４のいずれか一項に記載の美容器。
【発明の詳細な説明】
【技術分野】
【０００１】
本発明は美容器に関する。
【背景技術】
【０００２】
特許文献１は従来の美容器を開示している。この美容器は、ハンドルと、一対の回転体とを備えている。一対の回転体は、ハンドルの一方の端部に先広がり状の一対の軸を中心に回転自在に支持されている。ハンドルは、ハンドル本体及びハンドルカバーを有している。ハンドル本体には凹部が形成されており、ハンドルカバーはこの凹部を閉塞している。ハンドルカバーには係合爪が形成されている。ハンドルカバーは、この係合爪を、凹部に形成された被係合部に係合させることにより、凹部を閉塞してハンドル本体に固定される。また、ハンドルカバーは、Ｏリングを介してハンドル本体に固定されており、凹部を液密に閉塞している。Ｏリングは、ハンドルカバーの外周面と凹部の内周面との間に介在している。
【０００３】
上記美容器は、回転体を皮膚に押し当てながら転動させることにより、マッサージ効果等、美容効果を付与することができる。また、このような美容効果の向上を目的として、入浴時に使用できることが求められており、美容器には防水性も必要である。
【先行技術文献】
【特許文献】
【０００４】
【特許文献１】特開２０１５−１８６５４０号公報
【発明の概要】
【発明が解決しようとする課題】
【０００５】
ところで、特許文献１のような美容器は、使用時には、ハンドルを把持されて使用される。すなわち、美容器の使用者は、ハンドル本体及びハンドルカバーを握って使用する。このとき、別体に設けられたハンドル本体とハンドルカバーには、異なる方向の力が作用することがある。この場合、ハンドル本体とハンドルカバーの間に介在するＯリングに偏荷重が作用し、防水性に影響を与えてしまうおそれがあった。
【０００６】
本発明は、上記従来の実情に鑑みてなされたものであって、良好な防水性を確保することができる美容器を提供することを解決すべき課題としている。
【課題を解決するための手段】
【０００７】
本発明の美容器は、
凹状の収納部が形成されたハンドルと、
前記ハンドルに取り付けられて前記収納部を封止する内蓋と、
前記ハンドルの一方の端部側から延びる一対の支持軸と、
前記支持軸の周りに回転自在に支持された一対の回転体と、
前記収納部と前記内蓋の間に介在し、前記収納部の開口周縁に液密に当接する止水部と、
外周面が前記収納部の開口内周面に対向し且つ前記外周面と前記内周面とが対向する部位が外側から視認可能な形態で前記収納部内に嵌め込まれながら、前記内蓋を覆って前記収納部の開口を閉塞する外蓋と、
を備えることを特徴とする。
【０００８】
この美容器は、収納部の開口を閉塞する外蓋とは別に内蓋を備えている。そして、収納部と内蓋との間には、収納部の開口周縁に液密に当接する止水部が介在している。このような構成により、ハンドルを把持したときの把持力が内蓋に直接作用することを抑制でき、止水部の止水性能への影響を抑えることができる。
【０００９】
したがって、本発明の美容器は、良好な防水性を確保することができる。
【図面の簡単な説明】
【００１０】
【図１】実施例１に係る美容器を示す正面図である。
【図２】実施例１に係る美容器を示す側面図である。
【図３】実施例１に係る美容器を示す背面図である。
【図４】実施例１に係る美容器を示す分解斜視図である。
【図５】図１におけるＶ−Ｖ線断面図である。
【図６】図２におけるＶＩ−ＶＩ線矢視図である。
【図７】図１におけるＶＩＩ−ＶＩＩ線断面図である。
【図８】図１におけるＶＩＩＩ−ＶＩＩＩ線断面図である。
【図９】実施例１に係る美容器の使用例を説明するための図であり、回転体により美容効果を付与する例を示す。
【図１０】実施例１に係る美容器の使用例を説明するための図であり、美容効果付与部により美容効果を付与する例を示す。
【発明を実施するための形態】
【００１１】
本発明における好ましい実施の形態を説明する。
【００１２】
本発明に係る美容器において、前記止水部は前記内蓋の外縁に備えられ得る。この場合、止水部が内蓋の外縁に予め備えられているので、組み付け作業の簡素化を図ることができる。
【００１３】
本発明に係る美容器は、前記内蓋に組み付けられて前記収納部に収納される被収納部材を備え得る。この場合、被収納部材は収納部に収納されるので、被収納部材の防水性を確保することができる。また、内蓋を取り付けることにより収納部に被収納部材を収納することができるので、組み立て作業の簡素化を図ることができる。
【００１４】
本発明に係る美容器において、前記被収納部材は、電流を発生する電源であり、
前記ハンドル及び前記回転体は導電性を有し、前記電源に電気的に接続され得る。
この場合、美容器のハンドルを把持して、回転体を顔等の皮膚に当てて転動すると、ハンドルと回転体との間に身体を介在させた通電回路が形成され、回転体から微弱電流が流れて、皮膚への刺激が増進する。そして、電流を発生する電源は、収納部に収納されて防水性が確保される。このため、微弱電流を好適に流すことができる。
【００１５】
本発明に係る美容器は、前記ハンドルの他方の端部に設けられ、皮膚に接触又は接近させて美容効果を付与する美容効果付与部を備え得る。そして、前記美容効果付与部は、前記ハンドルの他方の端部から前記収納部に向かって挿通されて前記内蓋の前記ハンドルへの取り付けによって固定される固定軸を有し得る。この場合、ハンドルの一方の端部側の回転体による美容効果の付与のみならず、他方の端部を利用した美容効果の付与も行うことができる。このため、回転体による美容効果の付与と併せて、より多様な形態で、美容効果を付与できる美容器を実現することができる。
【００１６】
次に、本発明の美容器を具体化した実施例１について、図面を参照しつつ説明する。
【００１７】
＜実施例１＞
実施例１の美容器１は、図１〜図５に示すように、ハンドル１０と、支持軸２０と、回転体３０と、内蓋４０と、止水部４１と、外蓋５０とを備えている。ハンドル１０は収納部１１を有している。支持軸２０は一対設けられており、ハンドル１０の一方の端部１２側から先広がり状に延びている。回転体３０は一対設けられている。各回転体３０は、支持軸２０の周りに回動自在に支持されている。内蓋４０は、ハンドル１０に取り付けられて収納部１１を封止する。止水部４１は、収納部１１と内蓋４０との間にあり、収納部１１の開口周縁に液密に当接する。外蓋５０は、収納部１１の開口を閉塞している。また、美容器１は、太陽光発電パネル（本発明に係る被収納部材及び電源として例示する）６０と、美容効果付与部７０とを備えている。
【００１８】
図１〜図４に示すように、ハンドル１０は、長手方向の一端側となる端部１２側が先広がり状に分岐し、他端側となる端部１３側が先細りした細長い形状をなしている。ハンドル１０はＡＢＳ樹脂にクロムメッキを施してなり、導電性を有している。また、ハンドル１０の外表面には、周方向に起伏する畝のような複数の筋が長手方向に沿って形成されている。収納部１１は、図４に示すように、ハンドル１０の背面側に長手方向に沿って窪んだ断面凹状に形成されている。さらに、ハンドル１０の正面側には、収納部１１に連通して貫通する貫通孔１１Ａが形成されている。貫通孔１１Ａは、ハンドル１０の端部１２寄りの正面に形成されている。また、収納部１１の内壁には、ボス１１Ｂ，１１Ｃ，１１Ｄが設けられている。ボス１１Ｂ，１１Ｃ，１１Ｄは、後述する内蓋４０の取り付けに用いられる。なお、ボス１１Ｃには、ハンドル１０の外表面のクロムメッキに連続するクロムメッキが施されているが、ボス１１Ｂ，１１Ｄの外表面周縁にはクロムメッキが施されておらず、ＡＢＳ樹脂の生地が露出している。
【００１９】
図４及び図５に示すように、ハンドル１０の端部１２には軸孔１２Ａが形成されている。軸孔１２Ａは、ハンドル１０の端部１２の二股に分岐した先端部の夫々に形成されている。軸孔１２Ａは、収納部１１の内壁に貫通して形成されている。すなわち、軸孔１２Ａと収納部１１とは連通して形成されている。また、図７に示すように、ハンドル１０の端部１３には軸孔１３Ａが形成されている。軸孔１３Ａは、端部１３の先端に形成されている。軸孔１３Ａは、軸孔１２Ａと同様に、収納部１１の内壁に貫通して形成され、収納部１１と連通している。
【００２０】
図４及び図５に示すように、一対の支持軸２０は、絶縁ブッシュ２１、Ｏリング２２及びキャップ２３を介して、ハンドル１０の各軸孔１２Ａに夫々挿入されている。支持軸２０はステンレス製で無電解ニッケルメッキを施してなる。一対の支持軸２０は、図６に示すように、ハンドル１０の各軸孔１２Ａに挿入されていることにより、互いの軸線が角度θ１をなして先広がり状に延びている。本実施例では、角度θ１は約６６．７°としている。また、一対の支持軸２０は、図２に示すように、側面視においてハンドル１０の中心線と角度θ２をなしてハンドル１０の背面側に傾斜している。本実施例では、角度θ２は約６０°としている。
【００２１】
絶縁ブッシュ２１はポリアセタール製で、一端がフランジ状に拡径したフランジ部２１Ａを有している。絶縁ブッシュ２１は、支持軸２０とハンドル１０とを絶縁して支持軸２０を挿通している。絶縁ブッシュ２１は、フランジ部２１Ａが軸孔１２Ａの端縁に当接して軸孔１２Ａを閉塞している。Ｏリング２２は、支持軸２０の外周面と軸孔１２Ａの内周面に液密に介在している。キャップ２３は、支持軸２０を挿通してハンドル１０の端部１２の各先端に嵌め込まれている。なお、図５に示すように、支持軸２０は、一方の端部２０Ａが、後述する内蓋４０のシャフト係止部４２に係止されている。これにより、支持軸２０は、軸孔１２Ａより抜け出ることなく係止される。また、支持軸２０の他方の端部２０Ｂには、後述する樹脂ベアリング３１及びベアリングホルダ３２の抜け止めと、樹脂ベアリング３１への予圧の付与を行う予圧Ｃリング２４が取り付けられている。
【００２２】
図４及び図５に示すように、回転体３０は、支持軸２０の他方の端部２０Ｂ側に取り付けられている。回転体３０は、ＡＢＳ樹脂にプラチナメッキを施してなる。回転体３０は、２つの核部材３０Ａ，３０Ｂをインサート成形して形成されており、外形形状が略球形状をなしている。また、回転体３０の表面には、いわゆるダイヤカットが施されている。各回転体３０は、２つの樹脂ベアリング３１と、これらを保持するベアリングホルダ３２とを介して支持軸２０を挿入している。これにより、回転体３０は、支持軸２０の中心軸周りに回転自在に支持軸２０に支持されている。また、樹脂ベアリング３１は導電性を有するポリアセタールからなり、ベアリングホルダ３２はＡＢＳ樹脂にクロムメッキを施してなる。これにより、回転体３０は、これら樹脂ベアリング３１及びベアリングホルダ３２を介して、支持軸２０と電気的に導通している。また、ベアリングホルダ３２には、径方向に弾性変形する係合爪３２Ａが設けられている。係合爪３２Ａは、回転体３０の内周の段差状の窪みに係合して回転体３０を固定する。
【００２３】
内蓋４０はＡＢＳ樹脂からなり、略平板形状をなしている。図４、図５及び図７に示すように、内蓋４０は、止水部４１と、シャフト係止部４２とを有している。すなわち、本実施例において、止水部４１は内蓋４０に一体に設けられている。止水部４１は、内蓋４０の一方の面の外縁に設けられている。止水部４１は、内蓋４０に熱可塑性エラストマーを一体に成形して形成されている。シャフト係止部４２は支持軸２０を係止する。また、図４及び図７に示すように、内蓋４０は、３つのねじ孔４０Ａ，４０Ｂ，４０Ｃを形成している。内蓋４０は、これらねじ孔４０Ａ，４０Ｂ，４０Ｃに挿通されたねじＳ１，Ｓ２，Ｓ３が、収納部１１のボス１１Ｂ，１１Ｃ，１１Ｄに夫々係止することにより、ハンドル１０に取り付けられている。また、内蓋４０は、ねじＳ１，Ｓ２，Ｓ３の螺結方向を取り付け方向として、ハンドル１０に取り付けられている。本実施例においては、内蓋４０は、図７の右方から左方（図８の下方から上方）に向かう方向に取り付けられている。そして、止水部４１は、内蓋４０が取り付けられる方向へ押圧されつつ、収納部１１の開口周縁に当接している。すなわち、止水部４１は、内蓋４０のハンドル１０への取り付け方向を押圧方向として、ねじＳ１，Ｓ２，Ｓ３の螺結による押圧力により、収納部１１の開口周縁に押さえつけられている。
【００２４】
外蓋５０はＡＢＳ樹脂にクロムメッキを施してなる。本実施例において、外蓋５０は、内蓋４０に両面テープ５０Ａ，５０Ｂにより接着されている。これにより、外蓋５０は、収納部１１に嵌め込まれるとともに、内蓋４０を覆って収納部１１の開口を閉塞している。図７及び図８に示すように、外蓋５０は収納部１１内に嵌め込まれている。外蓋５０は、その外周面５１が収納部１１の開口内周面１１Ｅ（収納部１１の深さ方向に延びる面）に対向するように嵌め込まれている。この外蓋５０の外周面５１と収納部１１の開口内周面１１Ｅとが対向する部位は、外側から視認可能とされている。外蓋５０は、ハンドル１０が把持され、外蓋５０に嵌め込み方向に交差する方向の力が作用した場合でも、収納部１１の開口内周面１１Ｅに干渉してズレが抑制される。更に、収納部１１内に嵌め込まれた外蓋５０は、抜去方向（嵌め込み方向の反対方向）への力を作用させることが困難となり、外れ難くなる。また、外蓋５０は、ハンドル１０と同様にその外表面に畝状の筋が形成されており、収納部１１の開口を閉塞することで、ハンドル１０と連続的な形状をなす。なお、この畝状の筋は外蓋５０及びハンドル１０の長手方向に沿って形成されていることから、同様の方向に延びる外蓋５０とハンドル１０との境目が目立たなくされている。
【００２５】
太陽光発電パネル６０は内蓋４０に組み付けられて収納部１１に収納される。太陽光発電パネル６０は略長方形状でかつ薄いプレート状に形成されている。太陽光発電パネル６０は、一方の電極にリング状端子６１Ａが接続されており、他方の電極にリング状端子６１Ｂが接続されている。太陽光発電パネル６０は、後述するレンズ６４を透過した光を受光することにより発電し、リング状端子６１Ａ，６１Ｂを介して、回転体３０の表面とハンドル１０の表面の間で微弱な電流を流通する。リング状端子６１Ａ，６１Ｂは、太陽光発電パネル６０を内蓋４０に組み付けることにより、内蓋４０のねじ孔４０Ａ，４０Ｂと重なる位置に配される。リング状端子６１Ａ，６１Ｂは、内蓋４０とボス１１Ｂ，１１Ｃとの間に介在してねじＳ１，Ｓ２により共締めされて固定されている。なお、内蓋４０とボス１１Ｂとの間には、後述するシャフトホルダ６２も共締めされて固定されている。
【００２６】
また、太陽光発電パネル６０の一方の電極には、リング状端子６１Ａと並列に、リング状端子６１Ｃが接続されている。太陽光発電パネル６０は、リング状端子６１Ｂ，６１Ｃを介して、後述する美容効果付与部７０とハンドル１０の表面との間にも微弱電流を流通する。リング状端子６１Ｃは、リード線６１Ｄを介して太陽光発電パネル６０に接続されている。リング状端子６１Ｃは、内蓋４０とボス１１Ｃとの間に介在してねじＳ３により共締めされて固定されている。なお、内蓋４０とボス１１Ｄとの間には、後述するシャフトホルダ６３も共締めされて固定されている。
【００２７】
シャフトホルダ６２は、内蓋４０のシャフト係止部４２に設けられている。シャフトホルダ６２はステンレス製であり、一対の支持軸２０の夫々に当接して電気的に導通している。シャフトホルダ６２は、リング状端子６１Ａとともに、内蓋４０とボス１１Ｂとの間に、ねじＳ１の螺合により共締めされている。すなわち、シャフトホルダ６２は、リング状端子６１Ａと電気的に導通して固定されている。これにより、太陽光発電パネル６０の一方の電極は、リング状端子６１Ａ、シャフトホルダ６２を介して支持軸２０に電気的に導通するとともに、更にこの支持軸２０を介して、回転体３０に電気的に導通している。リング状端子６１Ｂは、内蓋４０とともに、ボス１１Ｃに螺合されるねじＳ２に挿通されて固定されている。そして、上述のように、ボス１１Ｃにはハンドル１０の外表面のクロムメッキに連続するクロムメッキが施されていることにより、太陽光発電パネル６０の他方の電極のハンドル１０との電気的導通が確保されている。
【００２８】
シャフトホルダ６３は、シャフトホルダ６２と同様にステンレス製である。シャフトホルダ６３は、リング状端子６１Ｃとともに、内蓋４０とボス１１Ｄとの間に、ねじＳ３の螺合によって共締めされている。これにより、シャフトホルダ６３は、リング状端子６１Ｃと電気的に導通して固定されている。また、シャフトホルダ６３は、断面略Ｕ字状に形成されたシャフト係止部６３Ａを具備している。シャフト係止部６３Ａは、後述する美容効果付与部７０の縮径部７０Ｃに係止する。
【００２９】
レンズ６４は、透明なアクリル樹脂で形成されている。図７及び図８に示すように、レンズ６４は、断面凸状に形成されて貫通孔１１Ａに挿入されている。レンズ６４は、内蓋４０に押圧されて貫通孔１１Ａの端縁部に当接することにより固定されている。レンズ６４は、太陽光発電パネル６０に隣接して配置されている。レンズ６４と貫通孔１１Ａの内壁との間にはＯリング６５が介在しており、液密性が確保されている。
【００３０】
美容効果付与部７０はステンレス製である。図４及び図７に示すように、美容効果付与部７０は、先端に球状部７０Ａを有する略円錐形状をなしている。また、美容効果付与部７０の基端側には軸部７０Ｂ（本発明に係る固定軸として例示する。）が設けられている。軸部７０Ｂは、絶縁カラー７１及びＯリング７２を介して軸孔１３Ａに挿入されている。美容効果付与部７０は、絶縁カラー７１によってハンドル１０と絶縁されているとともに、Ｏリング７２によって軸孔１３Ａの内壁との間の防水性が確保されている。また、軸部７０Ｂはシャフトホルダ６３に係止されている。上述のように、シャフトホルダ６３は、ねじＳ３によって内蓋４０をハンドル１０に取り付ける際に共締めされている。すなわち、美容効果付与部７０は、ハンドル１０の端部１３から収納部１１に向かって挿通されて内蓋４０のハンドル１０への取り付けによって固定される軸部７０Ｂを有しているといえる。詳細には、図４に示すように、軸部７０Ｂの先端部には、周方向に溝状に形成された縮径部７０Ｃが設けられており、この縮径部７０Ｃがシャフトホルダ６３のシャフト係止部６３Ａに係止されている。これにより、美容効果付与部７０は、太陽光発電パネル６０の一方の電極にシャフトホルダ６３、リング状端子６１Ｃ及びリード線６１Ｄを介して電気的に導通しつつ、軸孔１３Ａより抜け出ることなくハンドル１０に固定的に配される。
【００３１】
このような構成を有する美容器１は、以下のようにして使用される。
回転体３０を用いて美容効果を付与する場合には、例えば図９のようにハンドル１０を把持し、回転体３０を顔面等の皮膚に押し当てる。そして、美容器１をハンドル１０の軸方向に前後移動させたり、円弧状に移動させたりする。これにより、押圧、摘まみ、引っ張り等のマッサージ効果が付与される。このとき、ハンドル１０と回転体３０とが使用者の身体を介して電気的に導通する。このため、太陽光発電パネル６０がレンズ６４を介して受光して発電することにより、回転体３０と皮膚との間に微弱な電流が流通する。これにより、マッサージ効果が高められる。
【００３２】
美容効果付与部７０を用いて美容効果を付与する場合には、例えば図１０のようにハンドル１０を把持し、美容効果付与部７０の球状部７０Ａを顔面等の皮膚に気持ちよいと感じる程度の強さで、ツボ押しの要領で押し当てる。このとき、ハンドル１０と美容効果付与部７０とが使用者の身体を介して電気的に導通する。このため、太陽光発電パネル６０がレンズ６４を介して受光して発電することにより、美容効果付与部７０と皮膚との間に微弱な電流が流通する。これにより、マッサージ効果が高められる。
【００３３】
次に、上記構成の美容器１の作用効果について説明する。美容器１は、収納部１１の開口を閉塞する外蓋５０とは別に、収納部１１の開口周縁に液密に当接する止水部４１を有してハンドル１０に取り付けられる内蓋４０を備えている。このような構成により、ハンドル１０を把持したときの把持力が内蓋４０に直接作用することを抑制でき、止水部４１の止水性能への影響を抑えることができる。
【００３４】
したがって、美容器１は、良好な防水性を確保することができる。
【００３５】
また、美容器１は、内蓋４０に組み付けられて収納部１１に収納される被収納部材としての太陽光発電パネル６０を備えている。このように、太陽光発電パネル６０は収納部１１に収納されるので、防水性を確保することができる。また、内蓋４０を取り付けることにより収納部１１に太陽光発電パネル６０を収納することができるので、組み立て作業の簡素化を図ることができる。
【００３６】
また、電流を発生する電源部としての太陽光発電パネル６０を被収納部材として備えており、回転体３０は導電性を有しており、支持軸２０は、導電性を有して太陽光発電パネル６０の電流を回転体３０に導電する。このため、防水性を確保された太陽光発電パネル６０から、電流を回転体３０に好適に導電することができる。
【００３７】
また、美容器１は、ハンドル１０の他方の端部１３に設けられ、皮膚に接触又は接近させて美容効果を付与する美容効果付与部７０を備えている。そして、美容効果付与部７０は、ハンドル１０の端部１３から収納部１１に向かって挿通されて内蓋４０のハンドル１０への取り付けによって固定される固定軸としての軸部７０Ｂを有している。このため、ハンドル１０の一方の端部１２側の回転体３０による美容効果の付与のみならず、他方の端部１３を利用した美容効果の付与も行うことができる。これにより、回転体３０による美容効果の付与と併せて、より多様な形態で、美容効果を付与できる美容器１を実現することができる。
【００３８】
また、本実施例では、内蓋４０は、止水部４１を内蓋４０が取り付けられる方向に押圧されつつ、収納部１１の開口周縁に当接している。すなわち、止水部４１は、内蓋４０のハンドル１０への取り付け方向を押圧方向として、収納部１１の開口周縁に押さえつけられている。これにより、止水部４１による確実な止水を実現することができ、防水性をより高めることができる。
【００３９】
また、本実施例では、ハンドル１０及び外蓋５０の外表面に畝のような複数の筋を形成している。このため、意匠性の向上に寄与することができる。また、このような畝状の筋を形成したことにより、把持したときの滑り止め効果を発揮することもできる。美容器１は、化粧品等と併用する際や入浴の際など、手の滑りやすい状況下で使用されることが考えられ、ハンドル１０にはこのような滑り止めがある事が好ましい。さらに、ハンドル１０を安定して把持できることで、外蓋５０も同様に安定して把持でき、内蓋４０に偏荷重が作用するのを抑制できる。このように、ハンドル１０及び外蓋５０の外表面に畝のような複数の筋を形成したことで、止水部４１による液密性担保の効果がより際立つ。
【００４０】
また、本実施例では、回転体３０の外表面にダイヤカットを形成している。このため、回転体３０が回転していることを視認しやすく、使用感が向上する。また、外表面に模様を形成したことにより、化粧品等と併用する際等の滑りやすい状態であっても、回転体３０が回転せずにスリップしてしまうことを抑制することができる。
【００４１】
＜他の実施例＞
本発明は上記記述及び図面によって説明した実施例に限定されるものではなく、例えば次のような実施例も本発明の技術的範囲に含まれる。
（１）上記実施例では、ハンドルとして、ＡＢＳ樹脂にクロムメッキを施してなる形態を例示したが、他の材料を用いてもよい。また、メッキを施すことも必須ではない。
（２）上記実施例では、回転体として、ＡＢＳ樹脂にプラチナメッキを施してなる形態を例示したが、他の材料を用いてもよい。また、メッキを施すことも必須ではない。
（３）上記実施例では、回転体として、略球形状の回転体を例示したが、他の形状、例えば、断面楕円形状や、断面長円形状、半球形状、ひょうたん形状、円筒形状等の種々の形状の回転体を採用してもよい。
（４）上記実施例では、被収納部材としての太陽光発電パネルが内蓋に組み付けられて収納部に収納されている形態を例示したが、これに限定されない。被収納部材は、収納部に別途収納され、その後内蓋が取り付けられる形態であってもよい。
（５）上記実施例では、被収納部材が太陽光発電パネルである形態を例示したが、これは必須の構成ではない。また、被収納部材が回転体及び美容効果付与部の少なくとも一方に導電することも必須ではない。
（６）上記実施例では、被収納部材として、電源としての太陽光発電パネルである形態を例示したが、これに限定されない。電源としては、乾電池等を採用してもよい。
（７）上記実施例では、美容効果付与部を備える形態を例示したが、これは必須の構成ではない。また、美容効果付与部を備える場合には、上記実施例に例示した形態に限定されず、例えば、１又は２以上の回転体等、他の形態の美容効果付与部であってもよい。
（８）上記実施例では、収納部に被収納部材を収納する形態を例示したが、これに限定されない。収納部は軽量化や、成形時のヒケ対策を目的として設けられた空間等であってもよい。この場合、収納部には被収納部材を収納することは必須ではなく、単に空間として設けられていてもよい。
（９）上記実施例では、ハンドルの外表面に畝状の筋を形成する形態を例示したが、指がかかる程度に窪んだ凹状の筋など、様々な形状を設けてもよい。なお、これらのような外表面の筋を設けない形態であってもよい。
（１０）上記実施例では、回転体の外表面にいわゆるダイヤカットを施す形態を例示したが、これは必須ではない。回転体の外表面の模様として、例えば、回転軸周りの円環状の模様や、回転軸に沿った縦縞模様等の種々の模様であってもよく、さらに、これらの模様を形成しない滑らかな球面としてもよい。
（１１）上記実施例では、一対の支持軸が、互いの軸心のなす角度θ１を約６６．７°の角度で先広がり状に配される形態を例示したが、これに限定されない。一対の支持軸の軸心のなす角は、先広がり状に配されていればよく、その角度θ１は特に限定されないが、例えば、６０°〜８０°であることができる。
（１２）上記実施例では、一対の支持軸２０は、ハンドルの中心線との角度θ２が側面視約６０°で、ハンドルの背面側に傾斜している形態を例示したが、この角度θ２は特に限定されない。傾斜角度としては、例えば、２５°〜９０°であることができる。
（１３）上記実施例では、ハンドルは、長手方向の一端側となる端部側が先広がり状に分岐する形態を例示したが、このような分岐は、例えば、先広がり状の分岐の中央からハンドルの延伸方向に沿って突出する突出部が設けられた三つ叉状形態など、単純な二股状の分岐のみならず、種々の分岐形態であることができる。
（１４）上記実施例では、止水部が内蓋に一体に形成される形態を例示したが、これに限定されず、Ｏリングのように、内蓋と別体に設けられる形態であってもよいし、ハンドルの収納部の開口周縁に一体に形成される形態であってもよい。
【符号の説明】
【００４２】
１…美容器
１０…ハンドル
１１…収納部
１１Ａ…貫通孔
１１Ｂ，１１Ｃ，１１Ｄ…ボス
１１Ｅ…収納部の開口内周面
１２，１３…ハンドルの端部
１２Ａ，１３Ａ…軸孔
２０…支持軸
２０Ａ，２０Ｂ…支持軸の端部
２１…絶縁ブッシュ
２１Ａ…フランジ部
２２，６５，７２…Ｏリング
２３…キャップ
２４…予圧Ｃリング
３０…回転体
３０Ａ，３０Ｂ…核部材
３１…樹脂ベアリング
３２…ベアリングホルダ
３２Ａ…係合爪
４０…内蓋
４０Ａ，４０Ｂ，４０Ｃ…ねじ孔
４１…止水部
４２…シャフト係止部
５０…外蓋
５１…外蓋の外周面
５０Ａ，５０Ｂ…両面テープ
６０…太陽光発電パネル
６１Ａ，６１Ｂ，６１Ｃ…リング状端子
６１Ｄ…リード線
６２，６３…シャフトホルダ
６３Ａ…シャフト係止部
６４…レンズ
７０…美容効果付与部
７０Ａ…球状部
７０Ｂ…軸部
７０Ｃ…縮径部
７１…絶縁カラー
【図１】
2018082778.tif 000003
【図２】
2018082778.tif 000004
【図３】
2018082778.tif 000005
【図４】
2018082778.tif 000006
【図５】
2018082778.tif 000007
【図６】
2018082778.tif 000008
【図７】
2018082778.tif 000009
【図８】
2018082778.tif 000010
【図９】
2018082778.tif 000011
【図１０】
2018082778.tif 000012